(57)【要約】【課題】ワイヤレス子機を見失い、探すのに時間がかかる場合や紛失した場合に、探索する技術を提供することを課題とする。【解決手段】ワイヤレス子機４のユーザは、ワイヤレス子機４を見失い、探しだしたいときに、クレードル３の検索釦７を押すことで親機２と通信し、ワイヤレス子機４を呼び出すことができる。親機２にはクレードル３のＩＰアドレスとワイヤレス子機４のＩＰアドレスとが対にされて登録されている。クレードル３の検索釦７が押されると、親機２は対応するワイヤレス子機４に通信する。ワイヤレス子機４は親機２からの通信を受けて、所定時間、「ピーッ、ピーッ」などと音を鳴らして、ユーザに所在を知らせる。【選択図】図６
2008022126.tif 000002
【特許請求の範囲】
【請求項１】
訪問者の訪問通知を受ける玄関子機と、
前記玄関子機と接続して訪問通知を受信する中継器と、
前記中継器と無線接続され、前記玄関子機との間で音声の送受信を行うワイヤレス子機と、
前記ワイヤレス子機を充電する充電器と、
を備え、
前記ワイヤレス子機は、
充電が必要である場合、充電が必要である旨を周辺領域に通知する通知手段、
を含むことを特徴とする無線ドアホンシステム。
【請求項２】
訪問者の訪問通知を受ける玄関子機と、
前記玄関子機と接続して訪問通知を受信する中継器と、
前記中継器と無線接続され、前記玄関子機との間で音声の送受信を行うワイヤレス子機と、
前記ワイヤレス子機を充電する充電器と、
を備え、
前記充電器は、
前記ワイヤレス子機の検索指示手段、
を含み、
前記中継器は、
前記ワイヤレス子機の識別情報と前記充電器の識別情報との対応情報を登録する手段と、
前記検索指示手段により検索指示が行われたことに応答して、前記対応情報を参照して対応する前記ワイヤレス子機を特定し、前記ワイヤレス子機に対して呼び出し通知を行う手段と、
を含み、
前記ワイヤレス子機は、
前記中継器から呼び出し通知を受けた場合、周辺領域に所在を通知する通知手段、
を含むことを特徴とする無線ドアホンシステム。
【請求項３】
訪問者の訪問通知を受ける玄関子機と、
前記玄関子機と接続して訪問通知を受信する中継器と、
前記中継器と無線接続され、前記玄関子機との間で音声の送受信を行うワイヤレス子機と、
前記ワイヤレス子機を充電する充電器と、
を備え、
前記中継器は、
前記ワイヤレス子機の識別情報と前記充電器の識別情報との対応情報を登録する手段と、
前記充電器に対して子機の設置状態を確認し、子機が設置されていない場合には、前記対応情報を参照して対応する前記ワイヤレス子機を特定し、前記ワイヤレス子機に呼び出し通知を行う手段と、
を含み、
前記ワイヤレス子機は、
前記中継器から呼び出し通知を受けた場合、周辺領域に所在を通知する通知手段、
を含むことを特徴とする無線ドアホンシステム。
【請求項４】
訪問者の訪問通知を受ける玄関子機と、
前記玄関子機と接続して訪問通知を受信する中継器と、
前記中継器と無線接続され、前記玄関子機との間で音声の送受信を行う複数のワイヤレス子機と、
各ワイヤレス子機を充電する複数の充電器と、
を備え、
前記中継器は、
各ワイヤレス子機の識別情報と各充電器の識別情報との対応情報を登録する手段と、
各充電器に対して子機の設置状態を確認し、子機が設置されていない充電器が存在する場合には、前記対応情報を参照して対応するワイヤレス子機を特定し、当該ワイヤレス子機に呼び出し通知を行う手段と、
を含み、
各ワイヤレス子機は、
前記中継器から呼び出し通知を受けた場合、周辺領域に所在を通知する通知手段、
を含むことを特徴とする無線ドアホンシステム。
【請求項５】
請求項１に記載の無線ドアホンシステムにおいて、
前記通知手段は、
前記ワイヤレス子機が備える表示部に充電が必要である旨の情報を表示させる手段、
を含むことを特徴とする無線ドアホンシステム。
【請求項６】
請求項２ないし請求項４のいずれかに記載の無線ドアホンシステムにおいて、
前記通知手段は、
ワイヤレス子機が備える表示部に検索中である旨の情報を表示させる手段、
を含むことを特徴とする無線ドアホンシステム。
【請求項７】
請求項１ないし請求項４のいずれかに記載の無線ドアホンシステムにおいて、
前記通知手段は、
音声発生手段、
を含むことを特徴とする無線ドアホンシステム。
【請求項８】
請求項１ないし請求項４のいずれかに記載の無線ドアホンシステムにおいて、
前記通知手段は、
発光手段、
を含むことを特徴とする無線ドアホンシステム。
【請求項９】
請求項１ないし請求項４のいずれかに記載の無線ドアホンシステムにおいて、
前記通知手段は、
前記ワイヤレス子機を振動させる手段、
を含むことを特徴とする無線ドアホンシステム。
【発明の詳細な説明】
【技術分野】
【０００１】
本発明は、無線ドアホンシステムにおいて、ワイヤレス子機を探索する技術に関する。
【背景技術】
【０００２】
ドアホンシステムとは、訪問者が玄関に設置されているドアホン子機を用いて、訪問通知をすると、在宅者は部屋に設置されている親機、または子機を用いて、訪問者に応答し、通話できるシステムである。また、親機と子機の間のみならず、子機が複数ある場合には、各部屋に子機を設置することにより、ユーザは部屋を移動せずに、他の部屋にいるユーザと子機を用いて通話が可能である。
【０００３】
下記特許文献１の無線インターホンシステムは、ワイヤレス中継器、親機、子機等が、無線で接続されているシステムである。無線で接続されるため、親機や子機等の設置範囲が広がり、また増設も容易になる。
【０００４】
また、このシステムの親機や子機等は、ハンズフリーで通話できるため、ユーザは他の作業をしながら他の部屋にいるユーザと通話できる。しかし、親機、子機等は家の固定場所に設置されているため、ユーザの行動範囲が制限される。
【０００５】
そこで、無線ドアホンシステムにおいて、携帯可能なワイヤレス子機が考えられており、その使用により、ユーザの行動範囲が広がり、利便性が高まった。また、複数の携帯可能なワイヤレス子機を使用することによって、ユーザは、行動範囲の制限を受けずに、ワイヤレス子機間で通話することが可能になった。
【０００６】
【特許文献１】特許第３７２１９８８号公報
【発明の開示】
【発明が解決しようとする課題】
【０００７】
上述のように、無線ドアホンシステムにおいて、携帯可能なワイヤレス子機の使用により、利便性が高まった。しかし利便性が高い反面、ワイヤレス子機を見失い、探すのに時間がかかる場合や紛失する場合がある。また、ワイヤレス子機が充電器に設置されていない状態で放置されると、使用したい時に電源が切れているなどの場合もある。
【０００８】
そこで、本発明は前記問題点に鑑み、携帯可能なワイヤレス子機の利便性を享受しつつ、ワイヤレス子機を見失った場合に、探索する技術を提供することを課題とする。
【課題を解決するための手段】
【０００９】
上記課題を解決するため、請求項１記載の発明は、訪問者の訪問通知を受ける玄関子機と、前記玄関子機と接続して訪問通知を受信する中継器と、前記中継器と無線接続され、前記玄関子機との間で音声の送受信を行うワイヤレス子機と、前記ワイヤレス子機を充電する充電器と、を備え、前記ワイヤレス子機は、充電が必要である場合、充電が必要である旨を周辺領域に通知する通知手段、を含むことを特徴とする。
【００１０】
請求項２記載の発明は、訪問者の訪問通知を受ける玄関子機と、前記玄関子機と接続して訪問通知を受信する中継器と、前記中継器と無線接続され、前記玄関子機との間で音声の送受信を行うワイヤレス子機と、前記ワイヤレス子機を充電する充電器と、を備え、前記充電器は、前記ワイヤレス子機の検索指示手段、を含み、前記中継器は、前記ワイヤレス子機の識別情報と前記充電器の識別情報との対応情報を登録する手段と、前記検索指示手段により検索指示が行われたことに応答して、前記対応情報を参照して対応する前記ワイヤレス子機を特定し、前記ワイヤレス子機に対して呼び出し通知を行う手段と、を含み、前記ワイヤレス子機は、前記中継器から呼び出し通知を受けた場合、周辺領域に所在を通知する通知手段、を含むことを特徴とする。
【００１１】
請求項３記載の発明は、訪問者の訪問通知を受ける玄関子機と、前記玄関子機と接続して訪問通知を受信する中継器と、前記中継器と無線接続され、前記玄関子機との間で音声の送受信を行うワイヤレス子機と、前記ワイヤレス子機を充電する充電器と、を備え、前記中継器は、前記ワイヤレス子機の識別情報と前記充電器の識別情報との対応情報を登録する手段と、前記充電器に対して子機の設置状態を確認し、子機が設置されていない場合には、前記対応情報を参照して対応する前記ワイヤレス子機を特定し、前記ワイヤレス子機に呼び出し通知を行う手段と、を含み、前記ワイヤレス子機は、前記中継器から呼び出し通知を受けた場合、周辺領域に所在を通知する通知手段、を含むことを特徴とする。
【００１２】
請求項４記載の発明は、訪問者の訪問通知を受ける玄関子機と、前記玄関子機と接続して訪問通知を受信する中継器と、前記中継器と無線接続され、前記玄関子機との間で音声の送受信を行う複数のワイヤレス子機と、各ワイヤレス子機を充電する複数の充電器と、を備え、前記中継器は、各ワイヤレス子機の識別情報と各充電器の識別情報との対応情報を登録する手段と、各充電器に対して子機の設置状態を確認し、子機が設置されていない充電器が存在する場合には、前記対応情報を参照して対応するワイヤレス子機を特定し、当該ワイヤレス子機に呼び出し通知を行う手段と、を含み、各ワイヤレス子機は、前記中継器から呼び出し通知を受けた場合、周辺領域に所在を通知する通知手段、を含むことを特徴とする。
【００１３】
請求項５記載の発明は、請求項１に記載の無線ドアホンシステムにおいて、前記通知手段は、前記ワイヤレス子機が備える表示部に充電が必要である旨の情報を表示させる手段、を含むことを特徴とする。
【００１４】
請求項６記載の発明は、請求項２ないし請求項４のいずれかに記載の無線ドアホンシステムにおいて、前記通知手段は、ワイヤレス子機が備える表示部に検索中である旨の情報を表示させる手段、を含むことを特徴とする。
【００１５】
請求項７記載の発明は、請求項１ないし請求項４のいずれかに記載の無線ドアホンシステムにおいて、前記通知手段は、音声発生手段、を含むことを特徴とする。
【００１６】
請求項８記載の発明は、請求項１ないし請求項４のいずれかに記載の無線ドアホンシステムにおいて、前記通知手段は、発光手段、を含むことを特徴とする。
【００１７】
請求項９記載の発明は、請求項１ないし請求項４のいずれかに記載の無線ドアホンシステムにおいて、前記通知手段は、前記ワイヤレス子機を振動させる手段、を含むことを特徴とする。
【発明の効果】
【００１８】
本発明の無線ドアホンシステムでは、ワイヤレス子機の充電が必要である場合、ワイヤレス子機は警告音を鳴らすため、電池切れを事前に防ぐことができる。
【００１９】
また、ワイヤレス子機を見失った場合においても、ワイヤレス子機が充電を必要とする時期になると警告音を鳴らすため、ワイヤレス子機の所在を知ることができる。
【００２０】
また、ワイヤレス子機を見失った場合において、充電器の検索釦を押すことにより、その充電器に対応したワイヤレス子機が音声を発するので、ワイヤレス子機の所在を知ることができる。
【００２１】
また、ワイヤレス子機を見失った場合において、中継器の検索釦を押すことにより、その充電器に設置されていないワイヤレス子機が音声を発するので、ワイヤレス子機の所在を知ることができる。
【００２２】
更に、ワイヤレス子機の電池切れ及び検索の要求がある場合に、ワイヤレス子機が備える表示部にその旨を表示させることができるので、ワイヤレス子機を見つけた際に、その表示部を見ることによって、ワイヤレス子機の電池切れ及び検索の要求がある旨を知ることができる。
【００２３】
また、ワイヤレス子機の電池切れの場合や検索の要求がある場合に、ワイヤレス子機を振動させることができるので、ワイヤレス子機が紙や布等の下に隠れている場合でも、その所在を知ることができる。
【００２４】
更に、ワイヤレス子機の電池切れの場合や検索の要求がある場合に、ワイヤレス子機が発光するので、ワイヤレス子機が暗い場所にある場合でも、その所在を知ることができる。
【発明を実施するための最良の形態】
【００２５】
｛第１の実施の形態｝
以下、図面を参照しつつ本発明の実施の形態について説明する。図１は本実施の形態に係るドアホンシステムの利用イメージを示す図である。
【００２６】
このドアホンシステムは、図１に示すように玄関子機１、無線屋外カメラ１０と中継器２（親機）及びワイヤレス子機４で構成される。ワイヤレス子機４には充電器（クレードル）３が付随しており、ワイヤレス子機４を家の固定場所に置かれたクレードル３に設置させることで充電が可能である。また、玄関子機１と親機２とは２線式信号線６で接続されている。
【００２７】
訪問者（ユーザＡ）が玄関子機１の釦を押すと、親機２を介してワイヤレス子機４にユーザＡの映像が送られ、表示部４１に映像が表示されると同時に、「ピンポーン、ピンポーン」などと訪問を知らせる通知音が鳴らされる。ワイヤレス子機４が複数台ある場合、通知音は全てのワイヤレス子機４で一斉に鳴らされ、在宅者（ユーザＢ）は家中どこにいてもワイヤレス子機４を用いてユーザＡに応答し、通話が可能である。また、ユーザＢは、ワイヤレス子機４を操作することで、玄関子機１からの映像と無線屋外カメラ１０からの映像とをモニタリングすることができる。
【００２８】
更に、ワイヤレス子機４が複数台ある場合には、ワイヤレス子機４の間で内線呼び出し、内線通話が可能である。よって、最初にワイヤレス子機４でユーザＡに応答したユーザＢがすぐに玄関先に出られない場合には、他の在宅者（ユーザＣまたはＤ）に内線呼び出しを行い、ユーザＡへの応対を頼むこともできる。また、訪問者の有無に関わらず、ワイヤレス子機４の間で内線呼び出し、内線通話が可能であるので、例えば家の１階にいるユーザＣまたはＤが家の２階にいるユーザＢと話がしたいときに、ワイヤレス子機４を用いることで両者は移動せずに会話することができる。
【００２９】
図２はドアホンシステムの基本構成を示す図であり、玄関子機１と親機２と１台のワイヤレス子機４とクレードル３で構成されている。また、親機２とワイヤレス子機４とは無線ＬＡＮ５を利用して通信可能となっている。この基本構成における装置の機能ブロック図を図３に示す。
【００３０】
玄関子機１は、スピーカー１１、マイク１２、操作部１３、撮像部１４、発光部１５、制御部１６、通信部１７を備えている。ユーザＡが操作部１３の呼出釦を押すと、撮像部１４がユーザＡを撮影し、制御部１６が通信部１７を介してユーザＡの動画像を親機２に送信する。通信部１７は親機２と２線式信号線６で接続するための端子を備えており、親機２と通信する。周辺が暗い場合には発光部１５の照明ＬＥＤ（発光ダイオード）が光り、ＣＣＤ（電荷結合素子）で構成される撮像部１４は夜間のユーザＡの動画像も鮮明に映しだすことができる。また、ユーザＢの応答を通信部１７を介して制御部１６が受信すると、ユーザＡはスピーカー１１からユーザＢの音声を聞くことができ、マイク１２を用いて音声を伝えることができるので、ユーザＢとの通話が可能となる。
【００３１】
親機２は玄関子機１と２線式信号線６で接続されており、電源部２１、通信部２２、制御部２３、外部入出力部２４を備えている。制御部２３は記憶部２３１を備えている。また、通信部２２は玄関子機１と２線式信号線６で接続するための端子と、ワイヤレス子機４と無線ＬＡＮ５で通信するためのアンテナを備えている。電源部２１は電池またはコンセントであり、親機２と玄関子機１に電力を供給する。制御部２３はユーザＡの訪問通知とユーザＡの動画像を玄関子機１から受け取ると、通信部２２を介してワイヤレス子機４に無線で通信し、ユーザＡの映像をワイヤレス子機４の表示部４１に表示させ、訪問を知らせる通知音を鳴らさせる。
【００３２】
記憶部２３１は、玄関子機１から送られてくるユーザＡの映像を動画で記憶することができる。記録された動画は、ワイヤレス子機４を用いて閲覧でき、また、外部入出力部２４においてメモリカードなどの記録メディアにコピーまたは直接パソコンに接続することによって、パソコンで閲覧することも可能である。このような機能があることにより、家の住人は、家に不在であっても訪問者Ａの様子を知ることができる。
【００３３】
ワイヤレス子機４は、表示部４１、スピーカー４２、マイク４３、制御部４４、充電部４５、通信部４６、操作部４７、発光部４８、駆動部４９を備えている。制御部４４は記憶部４４１を備え、操作部４７は設定部４７１を備えている。また、表示部４１はＬＣＤ（液晶ディスプレイ）で構成されている。通信部４６は、親機２と無線ＬＡＮ５で通信するためのアンテナを備えている。
【００３４】
制御部４４は、玄関子機１から通知された呼び出し通知と、ユーザＡの動画像とを通信部４６を介して受信すると、表示部４１にユーザＡの動画像を表示させ、「ピンポーン、ピンポーン」などと訪問を知らせる通知音をスピーカー４２に鳴らさせる。それと同時に、制御部４４は、発光部４８のＬＥＤを点滅させる。設定部４７１では、訪問を知らせる振動（バイブレーション）の有無の設定や、通知音の音量や種類の変更設定、通話音の音量設定などを行うことができる。これらの設定は、記憶部４４１で記憶される。
【００３５】
訪問通知を受けたユーザＢは、操作部４７の応答釦を押し、マイク４３を用いて音声を伝えることでユーザＡと通話できる。また、ワイヤレス子機４をクレードル３に設置させることで、充電部４５はクレードル３から電力を供給される。
【００３６】
クレードル３は電源部３１と充電部３２を備えている。電源部３１は電池またはコンセントを示す。充電部３２は、ワイヤレス子機４がクレードル３に設置された際に、ワイヤレス子機４に電力を供給する。
【００３７】
図１に示したようにワイヤレス子機４が複数ある場合には、ワイヤレス子機４を見失った際に、ユーザは別のワイヤレス子機４を用いて内線呼び出しができ、見失ったワイヤレス子機４の所在を知ることができる。しかし図２に示すようワイヤレス子機４が１台しかない場合には、ユーザはワイヤレス子機４をユーザ自身で探索するしかない。また、ワイヤレス子機４を見失った状態で放置しておくと、電池切れの心配があり、必要なときに使用できない可能性もある。
【００３８】
そこで、図４に示すようにワイヤレス子機４の電池が消耗した際には、その旨をワイヤレス子機４の画面４１に表示させる。電池が消耗した際には、画面４１における電池の表示部４１２の電池の残量表示（a）が点滅表示（b）に変更する。このときに図５に示すようにワイヤレス子機４は所定時間、「ピーッ、ピーッ」などと警告音を鳴らして充電が必要である旨を通知し、ユーザにワイヤレス子機４の所在を知らせることができる。ここで、警告音の周波数や音を鳴らす間隔を変更させることによって、訪問者の通知音と区別させることができる。
【００３９】
警告音と共にワイヤレス子機４の発光部４８のＬＥＤを点滅させてもよく、駆動部４９によりバイブレーションを発生させてもよい。または、警告音の代わりにワイヤレス子機４にそれらの機能を持たせてもよい。発光部４８のＬＥＤを点滅させることによって、ユーザは暗闇でもワイヤレス子機４の所在を知ることができ、駆動部４９によりバイブレーションを発生させることによって、ワイヤレス子機４が紙や布などの下に置かれていた場合でも、その所在を知ることができるからである。
【００４０】
このようにして、ワイヤレス子機４が電池切れの際に自動的に警告音を鳴らすことで、
ユーザはワイヤレス子機４の所在を知ることができる。
【００４１】
｛第２の実施の形態｝
次に、本発明の第２の実施の形態について説明する。第２の実施の形態においても、ユーザＡの来訪に関する玄関子機１、親機２、ワイヤレス子機４の機能は第１の実施の形態と同様である。また、第２の実施の形態においても第１の実施の形態と同様に、ワイヤレス子機４が電池切れの際に自動的に警告音を鳴らす機能を備えていてもよい。
【００４２】
第２の実施の形態が第１の実施の形態と異なるのはクレードル３の構成であり、また、それに伴って変更される親機２の機能と、ワイヤレス子機４の機能である。
【００４３】
図６は第２の実施の形態に係るドアホンシステムの基本構成を示す図である。第１の実施の形態では、ワイヤレス子機４が電池切れになって警告音を鳴らすので、ワイヤレス子機４を見失った際に、ユーザは能動的にその所在を知ることができない。第２の実施の形態は、図６に示すようにクレードル３が親機２とＬＡＮ５Ａで接続されているため、ワイヤレス子機４のユーザは、ワイヤレス子機４を見失った際に、クレードル３の検索釦７を押すことで親機２と通信し、ワイヤレス子機４を呼び出し、能動的にワイヤレス子機４の所在を知ることができる。
【００４４】
クレードル３の検索釦７を押すことでワイヤレス子機４の検索を可能とするため、ワイヤレス子機４のＩＰアドレスとクレードル３のＩＰアドレスが対にされて、あらかじめ親機２に登録されている。図７には親機４に登録されている３台のワイヤレス子機４とクレードル３のＩＰアドレスが示されている。図７には１台目のワイヤレス子機４のＩＰアドレスが192.168.0.5であり、それに対応したクレードル３のＩＰアドレスが192.168.0.4であることが示されている。２台目、３台目も同様にＩＰアドレスの対応が示されている。
【００４５】
このようにＩＰアドレスが対にされて登録されていることにより、例えば図８に示すように、クレードル３の検索釦７が押されることで、親機２は登録されているＩＰアドレスから対応するワイヤレス子機４を呼び出すことができる。
【００４６】
ワイヤレス子機４は親機２からの呼び出しを受けて、所定時間、「ピーッ、ピーッ」などと音を鳴らして、所在を知らせる。ここで、所在を知らせる音の周波数や音を鳴らす間隔を変更させることによって、訪問者の通知音や電池切れの警告音と区別させることができる。
【００４７】
図９は第２の実施の形態に係るシステムにおける各々の装置の機能ブロック図である。図９において玄関子機１と親機２とワイヤレス子機４の機能ブロック図は、図３で示した第１の実施の形態に係る機能ブロック図と同様の構成である。図９におけるクレードル３は、第１の実施の形態に係るクレードル３が備えている電源部３１、充電部３２に加え、通信部３３、制御部３４、操作部３５を備えている。また、通信部３３は親機２とＬＡＮ５Ａで接続するための端子を備えている。
【００４８】
操作部３５はクレードル３に対応するワイヤレス子機４を検索する検索釦７を含んでおり、検索釦７が押されると、制御部３４は自装置のＩＰアドレスを親機２に通知する。
【００４９】
親機２の通信部２２は玄関子機１と接続するための端子と、ワイヤレス子機４と無線で通信するためのアンテナに加え、クレードル３とＬＡＮ５Ａで接続するための端子を備えている。親機２の制御部２３における記憶部２３１には、第１の実施の形態においては玄関子機１からの画像情報が記憶されていたが、第２の実施の形態においては図７で示したようなクレードル３のＩＰアドレスとワイヤレス子機４のＩＰアドレスとの対応も登録されている。制御部２３は記憶部２３１に記憶されているＩＰアドレスの対応を調べ、クレードル３から通知されたＩＰアドレスに対応するワイヤレス子機４のＩＰアドレスを検索する。そして、親機２の制御部２３は、検索したＩＰアドレスを持つワイヤレス子機４に対して、無線ＬＡＮ５を通して呼び出し通知を行う。これに応答して呼び出されたワイヤレス子機４は、所定時間、「ピーッ、ピーッ」などと呼び出し音を鳴らさせる。
【００５０】
このとき呼び出し音と共に、クレードル３から呼び出しがある旨をワイヤレス子機４の画面に表示させてもよく、発光部４８のＬＥＤを点滅させ、駆動部４９によりバイブレーションを発生させてもよい。または、呼び出し音の代わりにそれらの機能をワイヤレス子機４に持たせてもよい。
【００５１】
このようにして、ユーザはクレードル３の検索釦７を押して、クレードル３と親機２とを通信させることで、能動的にワイヤレス子機４の所在を知ることができる。
【００５２】
｛第３の実施の形態｝
次に、本発明の第３の実施の形態について説明する。第３の実施の形態は、第２の実施の形態と同様に、ワイヤレス子機４とクレードル３とのＩＰアドレスが対にされて、あらかじめ親機２に登録されている。第３の実施の形態が第２の実施の形態と異なる点は、第２の実施の形態ではクレードル３が親機２を介してワイヤレス子機４を検索することに対し、第３の実施の形態では親機２がワイヤレス子機４を検索する点である。
【００５３】
図１０は第３の実施の形態に係るドアホンシステムの基本構成を示す図である。図１０に示すように、親機２の検索釦８が押されると、親機２とＬＡＮ５Ａで接続されているクレードル３におけるワイヤレス子機４の設置状態が確認され、設置されていないワイヤレス子機４が呼び出される。
【００５４】
図１１は第３の実施の形態に係るシステムにおける各々の装置の機能ブロック図である。図１１において玄関子機１とワイヤレス子機４の機能ブロック図は、図３に示した第１の実施の形態に係る機能ブロック図と同様の構成である。図１１における親機２には第２の実施の形態に係る親機２の機能部に加え、操作部２５を備える。操作部２５は、クレードル３に設置されていないワイヤレス子機４を検索する検索釦８を含んでいる。また、クレードル３は、第２の実施の形態に係るクレードル３が備えている操作部３５以外の機能部で構成されている。
【００５５】
親機２の検索釦８が押されると、ＬＡＮ５Ａを介して、クレードル３に対して検索指示通知が行われ、クレードル３におけるワイヤレス子機４の設置状態が検索される。そして、親機２がクレードル３からワイヤレス子機４が設置されていない旨の通知を受けると、記憶部２３１に記憶されているＩＰアドレスの対応（図７）を調べて、対応しているワイヤレス子機４に呼び出し通知を行う。これに応答して呼び出されたワイヤレス子機４は所定時間、「ピーッ、ピーッ」などと呼び出し音を鳴らして、所在を知らせる。
【００５６】
このとき、第２の実施の形態と同様に、呼び出し音と共にクレードル３から呼び出しがある旨をワイヤレス子機４の画面に表示させてもよく、発光部４８のＬＥＤを点滅させ、駆動部４９によりバイブレーションを発生させてもよい。または、呼び出し音の代わりにそれらの機能をワイヤレス子機４に持たせてもよい。
【００５７】
親機２の検索釦８が押されたときに、クレードル３に設置されていないワイヤレス子機４が複数ある場合には、複数のワイヤレス子機４が一斉に音を鳴らす。ワイヤレス子機４を識別するため、図４で示したワイヤレス子機４の画面４１の上端部４１１には、ワイヤレス子機４の識別番号（１、２、３）が表示されている。そのため、ユーザは音を鳴らされたワイヤレス子機４の画面を見ることによって、ワイヤレス子機４を識別できる。また、クレードル３は固定場所にあり、図示せぬ識別番号（１、２、３）が装置の表面などに記されているため、ワイヤレス子機４の識別番号がわかれば、どのクレードル３に戻したらよいのかがわかる。
【００５８】
このようにして、ユーザは親機２の検索釦８を押すことで、クレードル３に設置されていないワイヤレス子機４の呼び出し音を鳴らさせ、能動的にワイヤレス子機４の所在を知ることができる。
【００５９】
なお、上記実施の形態では、玄関子機１と親機２とは２線式信号線６で接続されているが、無線で接続されていてもよい。
【００６０】
また、上記実施の形態では、ワイヤレス子機４とクレードル３の識別情報にＩＰアドレスを用いたが、識別情報はＩＰアドレスに限定されるものではない。例えば、ＩＰアドレスの代わりに個体識別子などで識別するようにしてもよい。
【図面の簡単な説明】
【００６１】
【図１】本実施の形態に係るドアホンシステムの利用イメージを示す図である。
【図２】第１の実施に形態に係るドアホンシステムの基本構成を示す図である。
【図３】第１の実施に形態に係る装置の機能ブロック図である。
【図４】ワイヤレス子機の画面と電池切れの表示を表わす図である。
【図５】ワイヤレス子機が自発的に警告音を鳴らす様子を示す図である。
【図６】第２の実施に形態に係るドアホンシステムの基本構成を示す図である。
【図７】親機に登録されるＩＰアドレスの対応を示す図である。
【図８】クレードルが親機にワイヤレス子機を検索させる様子を示す図である。
【図９】第２の実施に形態に係る装置の機能ブロック図である。
【図１０】第３の実施に形態に係るドアホンシステムの基本構成を示す図である。
【図１１】第３の実施に形態に係る装置の機能ブロック図である。
【符号の説明】
【００６２】
１            玄関子機
２            親機
３            クレードル
４            ワイヤレス子機
５、５Ａ      ＬＡＮ
６            ２線信号線
７、８        ワイヤレス子機検索釦
【図１】
2008022126.tif 000003
【図２】
2008022126.tif 000004
【図３】
2008022126.tif 000005
【図４】
2008022126.tif 000006
【図５】
2008022126.tif 000007
【図６】
2008022126.tif 000008
【図７】
2008022126.tif 000009
【図８】
2008022126.tif 000010
【図９】
2008022126.tif 000011
【図１０】
2008022126.tif 000012
【図１１】
2008022126.tif 000013